(57)【要約】【課題】  撮影装置の姿勢を検知できない場合に、撮影者が煩雑な操作をしなくても、撮影画像が撮影者の意図に沿った向きでアルバムに配置されるようにすることを目的とする。【解決手段】  撮影装置の姿勢を検知できない場合に、撮影結果を縦長に表示するときは、撮影者の操作に応答して撮影結果の天地方向の指示を受け付け、指示された天地方向と対応する回転方向に回転処理を実行して表示部に表示する。あるいは、所定の設定に基づいて自動的に回転方向を決定し、撮影結果を決定された回転方向に回転処理を実行して表示部に表示する。【選択図】  図１
2012120055.tif 000002
【特許請求の範囲】
【請求項１】
画像を撮影する撮影装置であって、
撮影結果が縦長に表示されるか否かを判定する第１の判定手段と、
前記第１の判定手段による判定の結果、撮影結果が縦長に表示されるとき、撮影装置の姿勢を検知可能か否か判定する第２の判定手段と、
前記第２の判定手段による判定の結果、撮影装置の姿勢を検知不可能なとき、撮影者の操作に応答して、撮影結果の天地方向の指示を受け付ける受付手段と、
前記撮影結果に対して、前記指示された天地方向と対応する回転方向に回転処理を実行して表示部に表示するよう制御する表示制御手段とを備えたことを特徴とする撮影装置。
【請求項２】
前記表示制御手段は、前記第２の判定手段による判定の結果、撮影装置の姿勢を検知可能なとき、前記撮影結果を前記表示部に表示しないよう制御することを特徴とする請求項１に記載の撮影装置。
【請求項３】
画像を撮影する撮影装置であって、
撮影結果が縦長に表示されるか否かを判定する第１の判定手段と、
前記第１の判定手段による判定の結果、撮影結果が縦長に表示されるとき、撮影装置の姿勢を検知可能か否か判定する第２の判定手段と、
前記第２の判定手段による判定の結果、撮影装置の姿勢を検知不可能なとき、所定の設定に基づいて回転方向を決定する決定手段と、
前記撮影結果に対して、前記決定手段により決定された回転方向に回転処理を実行して表示部に表示するよう制御する表示制御手段とを備えたことを特徴とする撮影装置。
【請求項４】
前記表示制御手段は、前記第２の判定手段による判定の結果、撮影装置の姿勢を検知可能なとき、前記撮影結果を前記表示部に表示しないよう制御することを特徴とする請求項３に記載の撮影装置。
【請求項５】
撮影者による操作に応答して予め回転方向を記憶部に記憶するよう制御する記憶制御手段をさらに備え、
前記決定手段は前記記憶部に記憶された回転方向に決定することを特徴とする請求項３または４に記載の撮影装置。
【請求項６】
第２の判定手段による判定の結果、撮影装置の姿勢を検知可能なとき、撮影装置の動かされた方向を履歴情報として記憶部に記憶するよう制御する記憶制御手段をさらに備え、
前記決定手段は前記記憶された履歴情報に基づいて前記回転方向を決定することを特徴とする請求項３または４に記載の撮影装置。
【請求項７】
直前に縦長に表示された撮影結果の回転方向を取得する取得手段をさらに備え、
前記決定手段は前記取得手段により取得された回転方向に決定することを特徴とする請求項３または４に記載の撮影装置。
【請求項８】
画像を撮影する撮影装置の制御方法であって、
撮影結果が縦長に表示されるか否かを判定するステップと、
前記判定の結果、撮影結果が縦長に表示されるとき、撮影装置の姿勢を検知可能か否か判定するステップと、
前記判定の結果、撮影装置の姿勢を検知不可能なとき、撮影者の操作に応答して、撮影結果の天地方向の指示を受け付けるステップと、
前記撮影結果に対して、前記指示された天地方向と対応する回転方向に回転処理を実行して表示部に表示するよう制御するステップとを備えたことを特徴とする制御方法。
【請求項９】
画像を撮影する撮影装置の制御方法であって、
撮影結果が縦長に表示されるか否かを判定するステップと、
前記判定の結果、撮影結果が縦長に表示されるとき、撮影装置の姿勢を検知可能か否か判定するステップと、
前記判定の結果、撮影装置の姿勢を検知不可能なとき、所定の設定に基づいて回転方向を決定するステップと、
前記撮影結果に対して、前記決定された回転方向に回転処理を実行して表示部に表示するよう制御するステップとを備えたことを特徴とする制御方法。
【請求項１０】
画像を撮影する撮影装置を実現するコンピュータに、
撮影結果が縦長に表示されるか否かを判定するステップと、
前記判定の結果、撮影結果が縦長に表示されるとき、撮影装置の姿勢を検知可能か否か判定するステップと、
前記判定の結果、撮影装置の姿勢を検知不可能なとき、撮影者の操作に応答して、撮影結果の天地方向の指示を受け付けるステップと、
前記撮影結果に対して、前記指示された天地方向と対応する回転方向に回転処理を実行して表示部に表示するよう制御するステップとを実行させることを特徴とするプログラム。
【請求項１１】
画像を撮影する撮影装置を実現するコンピュータに、
撮影結果が縦長に表示されるか否かを判定するステップと、
前記判定の結果、撮影結果が縦長に表示されるとき、撮影装置の姿勢を検知可能か否か判定するステップと、
前記判定の結果、撮影装置の姿勢を検知不可能なとき、所定の設定に基づいて回転方向を決定するステップと、
前記撮影結果に対して、前記決定された回転方向に回転処理を実行して表示部に表示するよう制御するステップとを実行させることを特徴とするプログラム。
【発明の詳細な説明】
【技術分野】
【０００１】
本発明は、撮影装置に関し、特に画像を撮影しながらアルバムを生成する撮影装置に関する。
【背景技術】
【０００２】
従来、画像を撮影しながらアルバムを生成することが可能なデジタルカメラが提案されている（特許文献１参照）。特許文献１では、テンプレートの画像枠にスルー画像を表示して撮影すると、撮影画像をテンプレートの画像枠と対応する箇所にレイアウトしたアルバムを生成する。
【０００３】
また、重力センサーを備え、撮影時の姿勢を検知し、検知結果に応じて、撮影画像を回転処理して表示するデジタルカメラが提案されている（特許文献２参照）。
【先行技術文献】
【特許文献】
【０００４】
【特許文献１】特開２００８−０１７２３８号公報
【特許文献２】特開２００３−２７４３６６号公報
【発明の概要】
【発明が解決しようとする課題】
【０００５】
従来、カメラが重力センサーを用いてその姿勢を検知する場合、撮影者がカメラを地面や空など水平方向と平行に構えて撮影すると、重力方向の変化を検知できないので、撮影画像が撮影者の意図とは異なる向きに表示されることがあった。
【０００６】
そこで、本発明は、撮影装置の姿勢を検知できない場合に、撮影者が煩雑な操作をしなくても、撮影画像が撮影者の意図に沿った向きでアルバムに配置されるようにすることを目的とする。
【課題を解決するための手段】
【０００７】
上記課題を解決するために、本願の発明の１つは、画像を撮影する撮影装置であって、撮影結果が縦長に表示されるか否かを判定する第１の判定手段と、前記第１の判定手段による判定の結果、撮影結果が縦長に表示されるとき、撮影装置の姿勢を検知可能か否か判定する第２の判定手段と、前記第２の判定手段による判定の結果、撮影装置の姿勢を検知不可能なとき、撮影者の操作に応答して、撮影結果の天地方向の指示を受け付ける受付手段と、前記撮影結果に対して、前記指示された天地方向と対応する回転方向に回転処理を実行して表示部に表示するよう制御する表示制御手段とを備えたことを特徴とする。
【発明の効果】
【０００８】
本発明によれば、撮影者が煩雑な操作をしなくても、撮影画像が撮影者の意図に沿った向きでアルバムに配置されるようになるという効果が得られる。
【図面の簡単な説明】
【０００９】
【図１】本発明に係る撮影装置の背面または正面の構成の一例を示すブロック図である。
【図２】本発明に係る撮影装置の内部の構成の一例を示すブロック図である。
【図３】本発明に係る撮影装置の動作の一例を示すフローチャート図である。
【図４】本発明に係る撮影装置の動作の一例を示すフローチャート図である。
【図５】本発明に係る天地方向を入力するためのＧＵＩの一例を示す図である。
【図６】本発明に係る携帯電話機の内部の構成の一例を示すブロック図である。
【発明を実施するための形態】
【００１０】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【００１１】
（第１の実施例）
図１は本実施例の撮影装置の背面または正面の構成の一例を示すブロック図である。撮影装置１００はバッテリーを通じて供給される電源で動作し、撮影者が撮影装置１００の操作に用いる電源ボタン、シャッターボタン、メニュー選択キー等を含む操作部１０１を備える。また、撮影モードを選択するためのメニュー等のＧＵＩやアルバムのテンプレート、撮影画像のプレビュー、アルバムのプレビュー等を表示する表示部１０２を備える。図１はアルバム撮影モード時の表示部１０２を示し、画像枠１０３〜１０５が表示されている。なお、画像枠１０３には撮影画像ではなく、斜線の代替画像が表示されており、未だ撮影画像が挿入されていないことを示す。画像枠１０４は撮影画像のサムネイル画像が表示されており、既に撮影画像が挿入されていることを示す。画像枠１０４は枠が太線で強調され、直近の撮影により得られた撮影画像であることを示す。
【００１２】
なお、本実施例の撮影装置はデジタルカメラやカメラ付き携帯電話機など、撮影機能を備えた情報機器や通信機器により実現される。
【００１３】
図２は本実施例の撮影装置１００の内部の構成の一例を示すブロック図である。制御部２０１は、例えばＣＰＵ（Ｃｅｎｔｒａｌ  Ｐｒｏｃｅｓｓｉｎｇ  Ｕｎｉｔ）であり、記憶部２０２に格納されたプログラムを実行して各部を制御することにより、撮影装置１００の動作全体を制御する。制御部２０１はその機能の一部として、操作部１０１の解析、表示部１０２の制御、表示用画像データの管理、撮影処理の制御等を行う。記憶部２０２は、制御部２０１が使用するプログラムデータの格納、画像データの保存、処理動作時の一時データの保存等に使用される。記憶部２０２はメモリカードなどの外部記憶媒体やＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの内蔵メモリによって実現される。撮影部２０３は、レンズ、ＣＣＤ、ＡＤ／ＤＡコンバーター、画像処理部等を含み、制御部２０１の制御により、撮影画像データを作成する。
【００１４】
方向検知部２０４は、重力センサー（加速度センサー）を用いて撮影装置１００の姿勢を検知し、撮影装置１００の姿勢から、スルー画像や撮影画像の天地方向を判断する。本実施例において撮影装置１００の姿勢とは、撮影者が撮影装置１００を構えている位置であり、縦位置または横位置のどちらかである。撮影装置１００が水平方向を向いて撮影する場合は、重力センサーは撮影装置１００の姿勢の変化を検知できるので、方向検知部２０４は重力センサーの検知結果に基づいてスルー画像や撮影画像の天地方向を判断できる。一方、撮影装置１００が重力方向、例えば地面や天空等を向いて撮影する場合は、重力センサーは撮影装置１００の姿勢の変化を検知できないため、方向検知部２０４は、スルー画像や撮影画像の天地方向を判断することはできない。
【００１５】
図３は本実施例の撮影装置１００の動作を示すフローチャート図である。なお、以下の動作は、制御部２０１が記憶部２０２に格納されたプログラムを実行して撮影装置１００の各部を制御することにより実現される。また、撮影者の操作部１０１への操作に応答して、電源が供給されると、制御部２０１はプログラムを起動し、以下の処理を開始する。
【００１６】
まず、制御部２０１は撮影モードの種類がアルバム作成モードであるか否かを判定する（Ｓ３０１）。ここで、アルバム作成モードとは、撮影しながらアルバムデータを作成するモードである。アルバム作成モードのとき、制御部２０１は画像の撮影前にアルバムのテンプレートを表示し、撮影者がテンプレート上の画像枠を選択した後、画像を撮影し、撮影画像を選択された画像枠に割り当てる。
【００１７】
アルバム作成モードでなければ（Ｓ３０１でＮｏ）、通常撮影モードで動作する。通常撮影モードでは、制御部２０１は、スルー画像を表示部１０２の画面全体に表示した後、撮影者が操作部１０１のシャッターボタンを押下することに応答して、画像を撮影して記録し、撮影画像を表示部１０２の画面全体に表示するよう表示制御する（Ｓ３０２）。なお、撮影モードはいつでも変更可能であり、撮影モードの変更があると、ステップＳ３０１の処理に戻る。
【００１８】
アルバム作成モードであれば（Ｓ３０１でＹｅｓ）、テンプレートを表示部１０２に表示し、テンプレート上の画像枠を撮影者に選択させる。撮影者の操作部１０１への操作に応答して、画像枠が選択されると（Ｓ３０３）、選択された画像枠が縦長か否かを判定する（Ｓ３０４）。すなわち、ステップＳ３０４において制御部２０１は、撮影結果がアルバム上で縦長に表示されるか否かを判定する。画像枠の向きが横長であれば（Ｓ３０４でＮｏ）、方向検知部２０４による検知を行わずに、テンプレートに代えてスルー画像を表示部１０２に表示し、撮影者によるシャッターボタンの押下操作に応答して、撮影された画像を記憶部２０２に記録する（Ｓ３０５）。そして、撮影画像のサムネイル画像をステップＳ３０３で選択された画像枠に挿入して、表示部１０２に表示する（Ｓ３０６）。そして、撮影画像の記録先を示すファイルパスとステップＳ３０３で選択された画像枠の識別子とを関連付けてアルバムデータに格納する（Ｓ３０７）。  
【００１９】
画像枠の向きが縦長であれば（Ｓ３０４でＹｅｓ）、制御部２０１は方向検知部２０４による検知が可能か否かを判定し（Ｓ３０８）、可能であれば（Ｓ３０８でＹｅｓ）、方向検知部２０４による判断結果を取得する（Ｓ３０９）。テンプレートに代えてスルー画像を表示部１０２に表示した後、撮影者がシャッターボタンを押下することに応答して、撮影された画像を記憶部２０２に記録する（Ｓ３１０）。そして、制御部２０１はステップＳ３０９で取得された検知結果に応じて撮影画像のサムネイル画像に対して回転処理を実行し、ステップＳ３０３で選択された画像枠に挿入して表示部１０２に表示する（Ｓ３１１）。そして、制御部２０１は、撮影画像の記録先を示すファイルパスとステップＳ３０３で選択された画像枠の識別子と、ステップＳ３０９で取得された天地方向の判断結果とを関連付けてアルバムデータに格納する（Ｓ３１２）。
【００２０】
不可能であれば（Ｓ３０７でＮｏ）、制御部２０１は後述する天地方向の決定処理を実行し（Ｓ３１３）、ステップＳ３１３で決定された天地方向を取得する（Ｓ３１４）。テンプレートに代えてスルー画像を表示部１０２に表示した後、撮影者がシャッターボタンを押下することに応答して、撮影された画像を記憶部２０２に記録する（Ｓ３１５）。そして、制御部２０１はステップＳ３１４で取得された決定結果に応じて撮影画像のサムネイル画像に対して回転処理を実行し、ステップＳ３０３で選択された画像枠に挿入して表示部１０２に表示する（Ｓ３１６）。そして、制御部２０１は、撮影者の操作による回転指示があるか否かを判定し（Ｓ３１７）する。回転指示がなければ（Ｓ３１７でＮｏ）、撮影画像の記録先を示すファイルパスとステップＳ３０３で選択された画像枠の識別子と、ステップＳ３１４で取得された決定結果とを関連付けてアルバムデータに格納する（Ｓ３１８）。一方、回転指示があれば（Ｓ３１７でＹｅｓ）、制御部２０１は撮影画像のサムネイル画像に対して回転処理を実行し、ステップＳ３０３で選択された画像枠に挿入して表示部１０２に表示する（Ｓ３１９）。そして、制御部２０１は撮影画像の記録先を示すファイルパスとステップＳ３０３で選択された画像枠の識別子と、ステップＳ３１７で受付けた回転指示と対応する天地方向とを関連づけてアルバムデータに格納する（Ｓ３２０）。
【００２１】
そして、制御部２０１は撮影者の操作部１０１への操作による終了指示があるかどうかを判定し（Ｓ３２１）、終了指示があれば（Ｓ３２１でＹｅｓ）、本動作を終了し、終了指示がなければ（Ｓ３２１でＮｏ）、ステップＳ３０１の処理に戻る。
【００２２】
なお、本実施例では、方向検知部２０４による検知が不可能で、天地方向の決定処理を実行する場合にだけ、配置結果を表示して回転指示を受付けるようにした。このように、誤判定が起き易い場合だけ撮影者に配置結果を確認させるので、撮影者は不要な確認をせずに済む。
【００２３】
また、本実施例では、画像枠が横長のときは（Ｓ３０４でＮｏ）、天地方向を検知せず、記録もしない。これは、撮影者が横長の画像枠を選択したときは、横位置で撮影することが多いこと、または縦位置で撮影しても撮影者の意図があること等が考えられるので、回転処理することなく、そのまま配置した方がよいためである。
【００２４】
また、本実施例のステップＳ３１５において、制御部２０１はステップＳ３１４で取得された天地方向の決定結果をスルー画像に重畳して表示部１０２に表示し、撮影者による回転指示を受付けるようにしてもよい。
【００２５】
図４は本実施例の撮影装置１００のステップＳ３１３での天地方向の決定処理の動作を示すフローチャート図である。
【００２６】
制御部２０１は予め、撮影者による操作部１０１への操作に応じて、天地方向の決定処理のモードを設定することが可能であり、設定された所定のモードを記憶部２０２に記憶している。ここでは、撮影者の設定可能な天地方向の決定処理のモードとして、事前指定モード、履歴参照モードおよび直前操作参照モードを例に説明する。
【００２７】
制御部２０１は記憶部２０２を参照し、天地方向の決定処理のモードが事前指定モードに設定されているか否かを判定する（Ｓ４０１）。なお、事前指定モードが設定されている時は、撮影者による操作部１０１への操作に応じて制御部２０１は撮影画像を、時計回り又は反時計回りに９０度回転するかのいずれか１つを選択して設定し、記憶部２０２に記憶するよう記憶制御している。事前指定モードが設定されていれば（Ｓ４０１でＹｅｓ）、制御部２０１は記憶部２０２を参照して回転方向を取得し、取得された回転方向を当該撮影画像の回転方向として決定する（Ｓ４０２）。
【００２８】
事前指定モードが設定されていなければ（Ｓ４０１でＮｏ）、制御部２０１は履歴参照モードが設定されているか否かを判定する（Ｓ４０３）。なお、制御部２０１は、撮影者が水平方向に向かって撮影し、撮影装置１００を横位置から縦位置に変更する度に、時計回りに動かしたか、反時計回りに動かしたかを検知し、履歴情報として記憶部２０２に記憶している。履歴参照モードが設定されていれば（Ｓ４０３でＹｅｓ）、制御部２０１は記憶部２０２の履歴情報を参照し、時計回りと反時計回りのうち多い方を取得し、時計回りと反時計回りのうち多い方の９０度回転を、当該撮影画像の回転方向として決定する（Ｓ４０４）。これにより、撮影者の癖に基づいて、縦位置で撮影された画像の回転方向を決定することができる。
【００２９】
履歴参照モードが設定されていなければ（Ｓ４０３でＮｏ）、制御部２０１は直前操作モードが設定されているか否かを判定する（Ｓ４０５）。直前参照モードが設定されていれば（Ｓ４０５でＹｅｓ）、制御部２０１は記憶部２０２を参照して、本処理の直前に縦長の画像枠に挿入された撮影画像の回転方向を取得し、取得された回転方向を当該撮影画像の回転方向として決定する（Ｓ４０６）。
【００３０】
直前操作モードが設定されていなければ（Ｓ４０５でＮｏ）、制御部２０１は天地方向を入力するためのＧＵＩ（Ｇｒａｐｈｉｃａｌ  Ｕｓｅｒ  Ｉｎｔｅｒｆａｃｅ）をスルー画像に重畳して表示部１０２に表示する（Ｓ４０７）。撮影者による操作部１０１の操作に応答して、制御部２０１は天地方向の入力を受け付ける（Ｓ４０８）。入力された天地方向と対応する回転方向を当該撮影画像の回転方向として決定する（Ｓ４０９）。
【００３１】
ここで、図５に天地方向を入力するためのＧＵＩの一例を示す。天地方向を入力するためのＧＵＩ５０２がスルー画像５０１に重畳して表示部１０２に表示される。また、撮影者に対して天地方向の入力を促すためのメッセージ５０３も表示部１０２に表示される。撮影者は操作部１０１を操作して、天地方向を入力する。
【００３２】
なお、事前指定モードで回転方向が未設定の場合、履歴参照モードで履歴情報が未記憶の場合、直前操作参照モードで直前に縦長の画像枠に挿入された撮影画像の回転方向が未記憶の場合は、デフォルトの回転方向を当該撮影画像の回転方向として決定する。あるいは、ステップＳ４０７の処理に進むようにしてもよい。
【００３３】
上記したように本実施例によれば、撮影結果を縦長に表示する予定のときだけ、撮影装置の姿勢を検知可能かどうか判定する。さらに、撮影装置の姿勢を検知不可能なときだけ、撮影者に回転方向の指示を入力させたり、設定内容に基づいて自動的に回転方向を決定し、撮影結果をアルバムに配置した結果を表示して撮影者に確認させるようにした。このように、本実施例によれば、撮影者は回転方向の決めるのに際してほとんど操作をしなくてもよくなり、操作にかかる負荷が軽減される。
【００３４】
（他の実施例）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００３５】
また、本発明の撮影装置１００が携帯電話機によっても実現される。図６は、本発明の実施形態としての携帯電話機６００の構成を示すブロック図である。本実施形態の携帯電話機６００は、音声通話機能の他、電子メール機能や、インターネット接続機能、画像の撮影、再生機能等を有する。
【００３６】
図６において、通信部６０１は、ユーザが契約した通信キャリアに従う通信方式により他の電話機との間で音声データや画像データを通信する。音声処理部６０２は、音声通話時において、マイクロフォン６０３からの音声データを発信に適した形式に変換して通信部６０１に送る。また、音声処理部６０２は、通信部６０１から送られた通話相手からの音声データを復号し、スピーカ６０４に送る。撮像部６０５は、被写体の画像を撮影し、画像データを出力する。画像処理部６０６は、画像の撮影時においては、撮像部６０５により撮影された画像データを処理し、記録に適した形式に変換して出力する。また、画像処理部６０６は、記録された画像の再生時には、再生された画像を処理して表示部６０７に送る。表示部６０７は、数インチ程度の液晶表示パネルを備え、制御部６０９からの指示に応じて各種の画面を表示する。不揮発メモリ６０８は、アドレス帳の情報や、電子メールのデータ、撮像部６０５により撮影された画像データ等のデータを記憶する。
【００３７】
制御部６０９はＣＰＵやメモリ等を有し、不図示のメモリに記憶された制御プログラムに従って電話機６００の各部を制御する。操作部６１０は、電源ボタンや番号キー、その他ユーザがデータを入力するための各種の操作キーを備える。カードＩＦ６１１は、メモリカード６１２に対して各種のデータを記録再生する。外部ＩＦ６１３は、不揮発メモリ６０８やメモリカード６１２に記憶されたデータを外部機器に送信し、また、外部機器から送信されたデータを受信する。外部ＩＦ６１３は、ＵＳＢ等の有線の通信方式や、無線通信など、公知の通信方式により通信を行う。
【００３８】
次に、電話機６００における音声通話機能を説明する。通話相手に対して電話をかける場合、ユーザが操作部６１０の番号キーを操作して通話相手の番号を入力するか、不揮発メモリ６０８に記憶されたアドレス帳を表示部６０７に表示し、通話相手を選択し、発信を指示する。発信が指示されると、制御部６０９は通信部６０１に対し、通話相手に発信する。通話相手に着信すると、通信部６０１は音声処理部６０２に対して相手の音声データを出力すると共に、ユーザの音声データを相手に送信する。
【００３９】
また、電子メールを送信する場合、ユーザは、操作部６１０を用いて、メール作成を指示する。メール作成が指示されると、制御部６０９はメール作成用の画面を表示部６０７に表示する。ユーザは操作部６１０を用いて送信先アドレスや本文を入力し、送信を指示する。制御部６０９はメール送信が指示されると、通信部６０１に対しアドレスの情報とメール本文のデータを送る。通信部６０１は、メールのデータを通信に適した形式に変換し、送信先に送る。また、通信部６０１は、電子メールを受信すると、受信したメールのデータを表示に適した形式に変換し、表示部６０７に表示する。
【００４０】
次に、電話機６００における撮影機能について説明する。ユーザが操作部６１０を操作して撮影モードを設定した後、静止画或いは動画の撮影を指示すると、撮像部６０５は静止画データ或いは動画データを撮影して画像処理部６０６に送る。画像処理部６０６は撮影された静止画データや動画データを処理し、不揮発メモリ６０８に記憶する。また、画像処理部６０６は、撮影された静止画データや動画データをカードＩＦ６１１に送る。カードＩＦ６１１は静止画や動画データをメモリカード６１２に記憶する。
【００４１】
また、電話機６００は、この様に撮影された静止画や動画データを含むファイルを、電子メールの添付ファイルとして送信することができる。具体的には、電子メールを送信する際に、不揮発メモリ６０８やメモリカード６１２に記憶された画像ファイルを選択し、添付ファイルとして送信を指示する。
【００４２】
また、電話機６００は、撮影された静止画や動画データを含むファイルを、外部ＩＦ６１３によりＰＣや他の電話機等の外部機器に送信することもできる。ユーザは、操作部６１０を操作して、不揮発メモリ６０８やメモリカード６１２に記憶された画像ファイルを選択し、送信を指示する。制御部６０９は、選択された画像ファイルを不揮発メモリ６０８或いはメモリカード６１２から読み出し、外部機器に送信するよう、外部ＩＦ６１３を制御する。
【図１】
2012120055.tif 000003
【図２】
2012120055.tif 000004
【図３】
2012120055.tif 000005
【図４】
2012120055.tif 000006
【図５】
2012120055.tif 000007
【図６】
2012120055.tif 000008